(57)【要約】  本開示は、本明細書に開示される折り畳まれた吸収性物品に関し、流体透過性トップシート、バックシート、トップシートとバックシートとの間に位置する少なくとも２つのコア層であって、上部コア層および１つ以上の下にあるコア層を含む少なくとも２つのコア層を備えた吸収性コアを含んでなる。上部コア層は、トップシートと１つ以上の下にあるコア層との間に位置し、トップシートおよびバックシートは、一緒に、吸収性コアの横方向外側に延在し、吸収性コアは、その長手方向において、前部、後部、前部と後部との間に位置する中間部を有し、コアの前部と中間部との間の移行部の横幅は、コアの残りの横幅よりも狭い。物品の第１の端部は、物品の中央領域上に第１の横断折り線の周りに折り畳まれ、第１の折り線は、コアの前部と中間部との間の狭い横断移行部と一致するか或いはそれに隣接する。上部コア層は、吸収性コアの前部、中間部、後部上に延在する。１つ以上の下にあるコア層の少なくとも１つは、上部コア層よりも短く、中間部および吸収性コアの前部の少なくとも一部の上に延在する。
2021504062.tif 000002
【特許請求の範囲】
【請求項１】
流体透過性のトップシート（２）と、バックシート（３）と、前記トップシート（２）と前記バックシート（３）との間に配置された、上部コア層（５）および１つ以上の下にあるコア層（６ａ、６ｂ）である、少なくとも２つのコア層（５、６ａ、６ｂ）を備えた吸収性コア（４）と、を含んでなる、折り畳まれた吸収性物品（１）であって、前記上部コア層（５）が、前記トップシート（２）と１つ以上の前記下にあるコア層（６a、６ｂ）との間に位置し、前記トップシート（２）および前記バックシート（３）が一緒に、前記吸収性コア（４）の横方向外側に延在し、前記吸収性コア（４）は、長手方向（Ａ）に、前部（７）と、後部（９）と、前記前部（７）と前記後部（９）との間に位置する中間部（８）とを有し、前記前部（７）と前記中間部（８）との間の移行部の横幅（１０-１０′）が、残りの前記吸収性コア（４）の横幅よりも狭く、当該吸収性物品（１）の第１の端部（１９）が、第１の横断折り線（１１）の周りで当該吸収性物品（１）の中央領域（２１）上に折り畳まれ、前記第１の横断折り線が前記吸収性コア（４）の前部（７）と中間部（８）との間の狭い横断移行部と一致するか或いはそれに隣接している、吸収性物品（１）において、
前記上部コア層（５）が、前記吸収性コア（４）の前部（７）、中間部（８）および後部（９）上に延在し、１つ以上の前記下にあるコア層（６ａ、６ｂ）の少なくとも１つが、前記上部コア層（５）よりも短く、前記吸収性コア（４）の中間部（８）および前部（７）の少なくとも一部上に延在し、
当該吸収性物品の第２の端部（２０）が、第２の横断折り線（１２）の周りで当該吸収性物品（１）の中央領域（２１）上に折り畳まれ、前記第２の横断折り線（１２）が、前記下にあるコア層（６ａ、６ｂ）の少なくとも１つの短い方の後部横断縁（１３）またはその付近に位置し、前記第２の横断折り線（１２）が、前記中間部（８）と前記後部（９）との間の移行部と一致し、
（i）第１の端部（１９）が前記中央領域（２１）の上に折り畳まれ、前記第２の端部（２０）が前記第１の端部（１９）の上に折り畳まれている、或いは、
（ii）前記第２の端部（２０）が前記中央領域（２１）の上に折り畳まれ、第１の端部（１９）が前記第２の端部（２０）の上に折り畳まれている、
ことを特徴とする、吸収性物品（１）。
【請求項２】
当該吸収性物品（１）が生理用ナプキンまたはパッドであることを特徴とする、請求項１に記載の吸収性物品。
【請求項３】
前記吸収性コア（４）の前部（７）、後部（９）および中間部（８）が、略等しい長さであることを特徴とする、請求項１または２に記載の吸収性物品。
【請求項４】
前記上部コア層（５）の前部（７）が、前記上部コア層（５）の長手方向全長の２０〜４０％を構成していることを特徴とする、請求項１〜３のいずれか一項に記載の吸収性物品。
【請求項５】
前記上部コア層（５）が、それを貫通して広がる開口部（２８）を有していることを特徴とする、請求項１〜４のいずれか一項に記載の吸収性物品。
【請求項６】
前記開口部（２８）が、前記吸収性コア（４）の前部（７）および中間部（８）に配置されていることを特徴とする、請求項６に記載の吸収性物品。
【請求項７】
前記上部コア層（５）の前記開口部（２８）の長手方向長さが、前記上部コア層（５）の長手方向長さの２０〜４０％であることを特徴とする、請求項６または７に記載の吸収性物品。
【請求項８】
前記開口部（２８）の最大横断長さが、前記吸収性コア（４）の前記前部（７）において、前記吸収性コア（４）の前記中間部（８）における前記開口部の最大横断長さよりも大きいことを特徴とする、請求項６〜８のいずれか一項に記載の吸収性物品。
【請求項９】
前記吸収性コア（４）は２つ以上の下にあるコア層（６a、６ｂ）を含み、前記下にあるコア層（６a、６ｂ）の１つが流体フロー制御構造体（６a）であり、前記下にあるコア層（６a、６ｂ）のもう１つが流体貯蔵構造体（６ｂ）であり、前記流体フロー制御構造体（６a）が、前記上部コア層（５）と前記流体貯蔵構造体（６ｂ）との間に配置されていることを特徴とする、請求項１〜８のいずれか一項に記載の吸収性物品。
【請求項１０】
前記流体フロー制御構造体（６ａ）が、前記上部コア層（５）よりも短い、少なくとも１つの前記下にあるコア層（６ａ、６ｂ）の１つであることを特徴とする、請求項９に記載の吸収性物品。
【請求項１１】
流体貯蔵構造体（６ｂ）が、前記上部コア層（５）よりも短い、少なくとも１つの前記下にあるコア層（６ａ、６ｂ）の１つであることを特徴とする、請求項８〜１０のいずれか一項に記載の吸収性物品。
【請求項１２】
前記吸収性コアの前部（７）と中間部（８）との間の前記移行部の横幅（１０-１０′）が、前記吸収性コア（４）の前部（７）における最大幅の５０〜７５％であることを特徴とする、請求項１〜１１のいずれか一項に記載の吸収性物品。
【請求項１３】
弾性部材（１６、１６′）が、少なくとも、前記吸収性コア（４）の前部（７）と中間部（８）との間の前記移行部において、前記吸収性コア（４）の横方向外側に、当該吸収性物品（１）のそれぞれの長手方向（Ａ）側縁に沿って配置されていることを特徴とする、請求項１〜１２のいずれか一項に記載の吸収性物品。
【請求項１４】
当該吸収性物品（１）は、前記弾性部材（１６、１６′）と、前記吸収性コア（４）の前部（７）と中間部（８）との間の前記移行部との間に配置された、吸収性材料のない隙間（１７、１７′）を有していることを特徴とする、請求項１３に記載の吸収性物品。
【請求項１５】
それぞれの前記弾性部材（１６、１６′）が、少なくとも、前記吸収性コア（４）の前部（７）における最も広い部分の側縁（１８、１８′）まで長手方向（Ａ）に延びていることを特徴とする、請求項１３または１４に記載の吸収性物品。
【請求項１６】
前記弾性部材（１６、１６′）が、前記上部コア層（５）の前記後部における後部横断縁（１３）を越えて長手方向（Ａ）に延びていないことを特徴とする、請求項１３〜１５のいずれか一項に記載の吸収性物品。
【請求項１７】
前記上部コア層（５）より短い、前記下にあるコア層（６ａ、６ｂ）の少なくとも１つの表面積が、前記上部コア層（５）の表面積の３０〜６０％であることを特徴とする、請求項１〜１６のいずれか一項に記載の吸収性物品。
【請求項１８】
請求項１〜１７のいずれか一項に記載の折り畳まれた吸収性物品（１）を複数含んでなることを特徴とする、パッケージ。
【請求項１９】
吸収性物品（１）を折り畳む方法であって、
前記吸収性物品（１）は、流体透過性のトップシート（２）と、バックシート（３）と、前記トップシート（２）と前記バックシート（３）との間に配置され、上部コア層（５）が前記トップシート（２）と１つ以上の下にあるコア層（６a、６ｂ）との間に配置された少なくとも２つのコア層（５、６ａ、６ｂ）を備えた吸収性コア（４）と、を含んでなり、前記トップシート（２）および前記バックシート（３）が一緒に、前記吸収性コア（４）の横方向外側に延在し、前記吸収性コア（４）は、長手方向（Ａ）に、前部（７）と、後部（９）と、前記前部（７）と前記後部（９）との間に位置する中間部（８）とを有し、前記前部（７）と前記中間部（８）との間の移行部の横幅（１０-１０′）が、残りの前記吸収性コア（４）の横幅よりも狭く、前記上部コア層（５）が、前記吸収性コア（４）の前部（７）、中間部（８）および後部（９）上に延在し、１つ以上の前記下にあるコア層（６ａ、６ｂ）の少なくとも１つが、前記上部コア層（５）よりも短く、前記吸収性コア（４）の中間部（８）および前部（７）の少なくとも一部上に延在しており、
当該方法は、
ａ）前記吸収性物品（１）の第１の横断折り線（１１）の周りで前記吸収性物品（１）の第１の端部（１９）を前記吸収性物品（１）の中央領域（２１）上に折り畳むステップであって、前記第１の横断折り線（１１）が、前記吸収性コア（４）の前部（７）と中間部（８）との間の狭い横断移行部と一致するか或いはそれに隣接している、ステップと、
ｂ）前記吸収性物品（１）の第２の端部（２０）を第２の横断折り線（１２）の周りで第１の折り畳み端部（１９）上に折り畳むステップであって、前記第２の横断折り線（１２）が、少なくとも１つの前記下にあるコア層（６ａ、６ｂ）の後部横断縁またはその付近に位置し、前記上部コア層（５）より短い、ステップと、
を含んでなることを特徴とする、方法。
【請求項２０】
吸収性物品（１）を折り畳む方法であって、
前記吸収性物品（１）は、流体透過性のトップシート（２）と、バックシート（３）と、前記トップシート（２）と前記バックシート（３）との間に配置され、上部コア層（５）が前記トップシート（２）と１つ以上の下にあるコア層（６a、６ｂ）との間に配置された少なくとも２つのコア層（５、６ａ、６ｂ）を備えた吸収性コア（４）と、を含んでなり、前記トップシート（２）および前記バックシート（３）が一緒に、前記吸収性コア（４）の横方向外側に延在し、前記吸収性コア（４）は、長手方向（Ａ）に、前部（７）と、後部（９）と、前記前部（７）と前記後部（９）との間に位置する中間部（８）とを有し、前記前部（７）と前記中間部（８）との間の移行部の横幅（１０-１０′）が、残りの前記吸収性コア（４）の横幅よりも狭く、前記上部コア層（５）が、前記吸収性コア（４）の前部（７）、中間部（８）および後部（９）上に延在し、１つ以上の前記下にあるコア層（６ａ、６ｂ）の少なくとも１つが、前記上部コア層（５）よりも短く、前記吸収性コア（４）の中間部（８）および前部（７）の少なくとも一部上に延在しており、
当該方法は、
ｄ）第２の横断折り線（１２）の周りで前記吸収性物品（１）の第２の端部（２０）を前記吸収性物品（１）の中央領域（２１）上に折り畳むステップと、
ｅ）前記吸収性物品（１）の第１の端部（１９）を第１の横断折り線（１１）の周りで第２の折り畳まれた端部（２０）上に折り畳むステップであって、前記第１の横断折り線（１１）が前記吸収性コア（４）の前部（７）と中間部（８）との間の狭い横断移行部と一致するか或いはそれに隣接している、ステップと、
を含んでなり、
ｆ）前記第２の横断折り線（１２）が、１つ以上の前記下にあるコア層（６ａ、６ｂ）の少なくとも１つの後部横断縁またはその付近に位置し、前記上部コア層（５）よりも短いことを特徴とする、方法。
【請求項２１】
１つ以上の前記下にあるコア層（６ａ、６ｂ）のそれぞれが、前記上部コア層（５）よりも短く、前記吸収性コア（４）の前部（７）および中間部（８）上に延在し、前記第２の横断折り線（２）が、それぞれの前記下にあるコア層の後部横断縁（１３）に隣接していることを特徴とする、請求項１９または２０に記載の方法。
【発明の詳細な説明】
【技術分野】
【０００１】
本開示は、生理用ナプキンまたはパッドなどの折り畳まれた吸収性物品、および複数の折り畳まれた吸収性物品を含むパッケージに関する。本開示は、吸収性物品を折り畳むための方法にも関する。
【背景技術】
【０００２】
通常のパンツの内側に着用される種類の吸収性物品には、成人の失禁または女性用の吸収性ナプキンまたはパッドが含まれる。
【０００３】
ナプキンまたはパッドには、一般的に、体液を受け入れて保持するための吸収性コアが設けられている。そのような吸収性物品が効率的に機能するために、吸収性コアは、適用の時点から体液を構造内に迅速に取得し、その後、体液を吸収性コア内および全体に分配して、最大の漏れ封じ込めを提供しなければならない。局所領域は以前の放出からの液体で既に満たされる傾向があるため、後続の放出が前の放出と同じ局所領域に向けられる場合、コアに関連する取得／分配層とコアの開口部が役立つ。
【発明の概要】
【発明が解決しようとする課題】
【０００４】
これらのタイプの物品は、下着の股部分で利用可能な限られたスペースに収まるようにサイズ設定および構成する必要があるため、物品の完全な吸収能力が利用されるまでに、側縁から漏れる可能性があるという特定の問題を有する。液体はトップシート上を流れ、物品の側縁を越えて流れ、そこから漏れて着用者の衣服を汚します。流体がトップシートの外側を流れるときのさらなる欠点は、身体に接触するトップシートの大部分が濡れることです。もちろん、これは物品を非衛生的で不快にするので非常に望ましくない。バッグまたはポケットへの物品の持ち込みを容易にし、使用後の廃棄を容易にするために、物品がすっきりとしており、容易に折り畳んで、個々のパッケージサイズを得ることも望ましい。
【０００５】
したがって、本発明の目的は、吸収性物品のための改善された折り畳みおよび包装の解決策を提供することである。
【課題を解決するための手段】
【０００６】
上記の目的の１つ以上は、請求項１による折り畳まれた吸収性物品、請求項１９による複数の折り畳まれた吸収性物品を含むパッケージ、或いは、請求項２０または２１による吸収性物品を折り畳む方法で達成され得る。さらなる実施形態は、従属請求項、以下の説明および図面に示されている。
【０００７】
本明細書に開示される折り畳まれた吸収性物品は、流体透過性トップシートと、バックシートと、トップシートとバックシートとの間に配置された少なくとも２つのコア層であって、上部コア層および１つ以上の下にあるコア層を含む吸収性コアとを含む。上部コア層は、トップシートと１つ以上の下にあるコア層との間に位置し、トップシートおよびバックシートは、吸収性コアの横方向外側に一緒に延びる。吸収性コアは、その長手方向において、前部、後部、および前部と後部との間に位置する中間部を有し、コアの前部と中間部との間の移行部の横幅は、コアの残りの横幅よりも狭い。物品の第１の端部は、物品の中央領域にわたって第１の横断折り線の周りに折り畳まれ、第１の折り線は、コアの前部と中間部との間の狭い横断移行部と一致するか、或いは、それに隣接している。上部コア層は、吸収性コアの前部、中間部、および後部上に延在する。１つ以上の下にあるコア層の少なくとも１つは、上部コア層よりも短く、中間部および吸収性コアの前部の少なくとも一部の上に延在する。物品の第２の端部は、物品の中央領域上に第２の横断折り線の周りに折り畳まれ、第２の折り線は、少なくとも１つのより短い下にあるコア層の後部横断縁またはその近くにある。第２の折り線は、吸収性コアの中間部と後部との間の移行部と一致するか、或いは、それに隣接している。少なくとも１つのより短い下にあるコア層の後端は、より短いコア層が折り畳みの一部ではないように終端する。少なくとも１つのより短い下にあるコア層の後端は、第２の折り線の手前から５ｍｍ、３ｍｍ、２ｍｍまたは１ｍｍの距離内で終わり、したがって折り目の一部を形成しないこともあり得る。第１の端部が中央領域上に折り畳まれ、第２の端部が第１の端部上に折り畳まれるか、或いは、第２の端部が中央領域上に折り畳まれ、第１の端部が第２の端部上に折り畳まれる。
【０００８】
したがって、吸収性物品は、第１の折り線および第２の横断折り線によって、第１の端部、物品の中央領域および物品の第２の端部に分割される。対応する同様の方法によって、吸収性コアは、第１および第２の横断折り線によって前部、中間部に分割される。
【０００９】
したがって、折り畳まれた吸収性物品は、３つ折りにされた吸収性物品であり、吸収性物品の長さに沿って３つの重なり合う折り畳み部分を有する。第１の横断折り線の周りの吸収性物品の折り畳みは、第１の折り線が、残りのコアよりも狭い幅を有する前部と中間部との間の狭い横断移行部と一致するということによって容易にされる。第２の折り線が少なくとも１つの下にあるコア層の後部横断縁またはそれに隣接して位置することは、第２の端部の折り畳みを容易にする。さらに、下にあるコア層の少なくとも１つが第２の端部内に延在しないので、第２の端部は減少された厚さを有する。したがって、折り畳まれた吸収性物品も厚さが減少し、均一な厚さを有する。折り畳まれた吸収性物品の減少された均一な厚さは、複数の折り畳まれた吸収性物品を含むパッケージ内の吸収性物品の積み重ね性を向上させる。したがって、サイズが縮小された安定したパッケージを実現することができる。
【００１０】
本開示は、複数の折り畳まれた吸収性物品を含むパッケージにも関し、パッケージ内の吸収性物品は、本明細書に記載されるように３つ折りにされる。
【００１１】
一態様によれば、本開示は、吸収性物品を折り畳む方法に関する。当該吸収性物品は、流体透過性トップシートと、バックシートと、トップシートとバックシートとの間に位置する少なくとも２つのコア層を備えた吸収性コアと、を含み、上部コア層が、トップシートと１つ以上の下にあるコア層との間に位置し、トップシートおよびバックシートは、吸収性コアの外側で横方向に一緒に延在し、コアは、長手方向に、前部と、後部と、前部と後部との間に位置する中間部とを有し、前部と後部との間の移行部の横幅は、残りのコアの横幅よりも狭く、上部コア層は、吸収性コアの前部、中間部および後部上に延在し、さらに、少なくとも１つの下にあるコア層は、上部コア層よりも短く、吸収性コアの中間部と前部の少なくとも一部分の上に延在している。この吸収性物品を折り畳む当該方法は、
ａ）物品の第１の横断折り線の周りで物品の第１の端部を物品の中央領域上に折り畳むステップであって、第１の折り線が、コアの前部と中間部との間の狭い横断移行部と一致するかあるいはそれに隣接している、ステップと、
ｂ）物品の第２の端部を第２の横断折り線の周りで第１の折り畳み端部上に折り畳むステップであって、第２の折り線が、少なくとも１つの下にあるコア層の後部横断縁またはその付近に位置し、上部コア層より短い、ステップと、
を含んでなる。
【００１２】
物品の第２の端部が第１の端部上に折り畳まれるということは、少なくとも１つの短い下にあるコア層の側縁が第２の横断折り線にまたはそれに隣接して配置されるため、第２の端部の折り畳みを容易にし、これにより、自然な折り目をもたらす。コアの後部の厚さが減少することにより、吸収性物品の第２の端部における折り畳みも容易になる。
【００１３】
少なくとも１つの下にあるコア層がより短く、第２の折り線が下にあるコア層の後方端縁にあるかまたはそれに隣接しているということは、吸収性コアに折り目マークを生じ得る。このような折り目マークは、後部と中間部との間の移行領域で吸収性コアを成形することをより困難にする可能性があり、この領域で液体の広がりが悪影響を受ける可能性がある。第１の端部が第２の端部の下で折り畳まれて、第２の横方向の折り線でＵ字形の折り畳みを与える場合、第２の折り線の折り目マークは、下にある短いコア層の後端部においてあまり目立たなくなり得る。
【００１４】
さらなる態様によれば、本開示は、吸収性物品を折り畳む方法に関する。当該吸収性物品は、流体透過性トップシートと、バックシートと、トップシートとバックシートとの間に位置する少なくとも２つのコア層を備えた吸収性コアと、を含み、上部コア層が、トップシートと１つ以上の下にあるコア層との間に位置し、トップシートおよびバックシートは、吸収性コアの外側で横方向に一緒に延在し、コアは、長手方向に、前部と、後部と、前部と後部との間に位置する中間部とを有し、前部と後部との間の移行部の横幅は、残りのコアの横幅よりも狭く、上部コア層は、吸収性コアの前部、中間部および後部上に延在し、さらに、少なくとも１つの下にあるコア層は、上部コア層よりも短く、吸収性コアの中間部と前部の少なくとも一部分の上に延在している。この吸収性物品を折り畳む当該方法は、
ａ）第２の横断折り線の周りで物品の第２の端部を物品の中央領域上に折り畳むステップと、
ｂ）物品の第１の端部を第１の横断折り線の周りで第２の折り畳まれた端部上に折り畳むステップであって、第１の折り線がコアの前部と中間部との間の狭い横断移行部と一致するか或いはそれに隣接している、ステップと、
ｃ）第２の折り線を、１つ以上の下にあるコア層の少なくとも１つの後部横断縁またはその付近に配置する、ステップと、
を含んでなる。
【００１５】
したがって、第１の横断折り線は、吸収性コアの前部と中間部との間の移行部と一致し、第２の横断折り線は、吸収性コアの中間部と後部との間の移行部と一致する。
【００１６】
後部の長手方向長さは、上部コア層の長手方向長さ全体の長手方向長さの約３分の１であり、第２の端部の長手方向長さは、吸収性物品の長手方向長さ全体のそれぞれ約３分の１であり得る。
【００１７】
第２の端部が、下にあるより短いコア層の後部横断縁で或いはそれに隣接して折り畳まれるということは、折り畳みを容易にし、後部横断縁が折り畳み時にサポートをもたらし、吸収性物品に自然な後部折り線を与える。
【００１８】
吸収性物品の前部および中央部は、吸収性コアへの液体の吸収前に液体をより良く貯蔵するためにカップ形状を採用することがしばしば望まれる。第１の端部を第２の端部に折り畳むことにより、第１の横断折り線は柔らかくなり目立たなくなり、吸収性物品の前部は、展開後並びに吸収性物品の使用中により容易にカップ形状を採用し得る。
【００１９】
吸収性物品は、失禁パッドまたは生理用ナプキンの形態であってよい。物品は、女性用または失禁用であってよく、そして全方向に完全に伸ばされたとき、細長い、概して長方形の形状を有し得る。この文脈において、概して長方形の形状は、例えば、吸収性物品の角が丸くてもよく、または吸収性物品の縁が完全に直線的でなくてもよいことも包含することを意図する。吸収性物品は、等しい長さを有し、ほぼ同じ方向に延びる２つの長手方向側縁を有し得る。
【００２０】
吸収性物品のトップシートおよびバックシートは、物品の全周に沿って吸収性コアの外側で一緒に横方向に延在し、漏れ防止のために吸収性コアの周囲の周りの縁接合で互いに接続され得る。トップシートは、バックシートの一部を覆って、エッジバリアを形成することができる。
【００２１】
トップシートは、目的に適した、すなわち、柔らかくて液体透過性である任意の材料からなり得る。トップシート材料の例は、不織布材料、孔あきプラスチックフィルム、プラスチックまたは繊維メッシュ、および流体透過性フォーム層である。流体透過性の着用者に面する表面の異なる部分内が異なる材料からなるトップシートと同様に、２つ以上のトップシート材料からなるラミネートを使用することもできる。
【００２２】
バックシートは、流体不透過性であり得る。特に、比較的少量の尿が吸収されると予想される場合には、撥液性のみのバックシート材料を使用できる。バックシートは、ポリエチレンまたはポリプロピレンなどの、薄くて柔軟な流体不透過性プラスチックフィルムであってもよいが、流体不透過性不織布材料、流体不透過性フォームおよび流体不透過性ラミネートも考えられる。バックシートは通気性であって、空気および蒸気がバックシートを通過し得ることを意味する。さらに、バックシートは、不織材料の衣服に面する外側表面を有し得る。
【００２３】
長手方向のコアは、前部、後部、および前部と後部との間に位置する中間部を有し、コアの前部と中間部との間の移行部の横幅は、コアの残りの横幅よりも狭い。コアの前部と中間部との間の移行部の横幅は、吸収性コアの前部の最も広い幅の５０〜７５％であり得る。
【００２４】
吸収性コアは、少なくとも２つの吸収性コア層を含む。上部コア層は、トップシートと１つ以上の下にあるコア層の間に配置される。上部コア層は、吸収性コアの前部、中間部および後部に広がり、少なくとも１つの下にあるコア層は、上部コア層より短く、吸収性コアの中間部および少なくとも前部の一部上に広がる。したがって、１つ以上の下にあるコア層は、吸収性コアの後部に延在しない場合がある。コア層は、吸収性コアの前部の長手方向長さの７５％または６０％まで、吸収性コアの前部の中に延びる長さを有し得る。
【００２５】
吸収性コアの前部、後部、および中間部は、実質的に等しい長さであってもよい。コアの前部、後部、および中間部のそれぞれの長さは、それぞれ、吸収性コアの長手方向の長さの２５〜４０％を構成し得る。少なくとも１つのより短い下にあるコア層の前部は、より短い下にあるコア層の長手方向全長の２０〜４０％を構成し得る。少なくとも１つの下にあるコア層の表面積は、上部コア層の表面積の３０〜６０％であり得る。第１の折り線は、吸収性コアの前部と中間部との間の移行部と一致し、第２の折り線は、吸収性コアの中間部と後部との間の移行部と一致する。
【００２６】
吸収性コアの後部の厚さは、コアの中間部の厚さの２５〜７０％であってもよく、或いは、容易な折り畳みを楽にする３０〜６０％または３５〜５０％であってもよい。吸収性コアの前部の厚さは、コアの中間部の厚さの２５〜７０％であってもよく、或いは、容易な折り畳みを楽にする３０〜６０％または３５〜５０％であってもよい。
【００２７】
吸収性コアは、それを貫通して延びる開口部を有する上部コア層と、上部コア層と前記バックシートとの間に位置する、下にあるコア層の形態のコア層と、を含み得る。流体フロー制御構造体。吸収性コアは、さらにまたは代替的に、流体貯蔵層の形態である少なくとも１つの下にあるコア層を含んでもよい。流体貯蔵層は、上部コア層とバックシートとの間、または流体フロー制御層とバックシートとの間に配置され得る。吸収性コアは、その長手方向において、前部、後部、および前部と後部との間に延びる中間部を有する。狭い横方向の移行部が前部と中間部との間に位置する。狭い横断移行部の幅は、５０％から７５％の間である。上部コア層の開口部は層を完全に貫通し、それにより、物品にキャビティを形成し、物品の湿潤点に対して穴を適切に配置するために、開口部の長手方向の長さの８０〜１００％または９０〜１００％は、上部コア層の前部と中間部とに配置され得る。開口部の長手方向の長さの約５〜２０％は、上部コア層の前部に位置し得る。上部コア層の開口部の長手方向の長さは、トップシートの外側ではなく開口部への流体の流れを確実にするために、上部コア層の長手方向の長さの２０〜４０％であってもよい。開口部の横方向の寸法は、上部コア層の中間部の開口部の横方向の寸法よりも上部コア層の前部の方が大きくてもよく、穴を介してさらに流体フロー制御構造体に入る流体の取込速度が向上する。それにより、使用中に液体が適所に留まり、液体が開口部に案内され、流体フロー制御構造体およびコア内に渡すことを確実にする吸収性物品が達成される。上部コア層は、漏出の防止と改善されたユーザーの安心感の両方のためにのみ１つの開口部を有し得る。
【００２８】
狭い横断移行部の幅は、着用者の腱の後ろに良好なフックを得るために、上部コア層の前部の最も広い横方向幅の５０〜７５％であることが好ましい。狭い横断移行部の幅は、物品の改善されたフィットを確実にするために、上部コア層の後部の最も広い横方向幅の５０〜７５％、好ましくは５５〜７０％であり得る。前部、中間部および後部の最も広い横方向幅は、約７５〜１７０ｍｍであり得る。狭い横方向の移行部の長手方向の長さは、着用者の腱間へ物品が適切にフィットし、使用中に所定の位置に留まるように、上部コア層の長手方向の長さの５〜２０％であり得る。上部コア層の狭い横断移行部の幅は、物品使用中の着用者の腱間へのフィットを改善するために、１３０ｍｍ未満で３０ｍｍより大きく、好ましくは９０ｍｍ未満で５０ｍｍより大きくてもよい。上部コア層の長手方向の長さは、約２３０〜４００ｍｍであってもよい。
【００２９】
吸収性コアは、例えばセルロース綿毛パルプの１つ以上の流体貯蔵層などの、任意の適切な吸収性または流体取り込みおよび貯蔵材料から構成され得る。吸収性コアは、ヒドロゲルの形成時に大量の流体を吸収および保持する能力を有する材料である、超吸収剤として一般に知られている高吸収性ポリマー材料の繊維または粒子を含み得る。超吸収剤は、セルロース綿毛パルプと混合してもよく、さらに／或いは、吸収性コアのポケットまたは層に配置され得る。繊維はパルプ繊維であってもよく、超吸収性材料はポリアクリレートベースの粒子であってもよい。吸収性構造は、少なくとも２０％の超吸収剤を含んでもよく、２０〜８０％の超吸収剤および８０〜２０％のパルプ繊維を含み得る。吸収性コアは、吸収性コアの特性を向上するための構成要素をさらに組み込み得る。そのようなコンポーネントのいくつかの例は、バインダー繊維、流体分散材料、湿り度インジケーター、流体取得材料などである。
【００３０】
吸収性コア層は、均質な構造であってもよく、或いは、それ自体が同じまたは異なる材料の吸収性ラミネートなどの層状構造であってもよい。吸収層は、均一な厚さを有してもよく、または層の異なる部分において厚さが変化してもよい。同様に、坪量および組成は、吸収層内で異なり得る。例として、吸収層は、吸収性および／または非吸収性繊維と超吸収性材料との混合物を含むことができ、繊維に対する超吸収性材料の比率は、層内で変化し得る。
【００３１】
下にある層の１つは、上部コア層と１つ以上の下にあるコア層との間に配置され得る流体フロー制御構造体であり得る。流体フロー制御構造体は、長方形の形状であってもよい。流体フロー制御構造体は、上部コア層の長手方向長さの表面積を覆う表面長さを有し得る。流体フロー制御構造体は、長手方向および横方向において吸収性コアの部分によって囲まれ得る。
【００３２】
流体フロー制御構造体は、例えば、非穿孔繊維性ポリマー層および第１の穿孔ポリマー層を備えた層状構造であってもよく、第１の穿孔ポリマー層中のポリマーは、ポリオレフィン、ポリエステル、ポリアミドおよびブレンド、並びに、それらの組み合わせから選択され得る。第１の穿孔ポリマー層は、５０ｇ／ｍ２〜１５０ｇ／ｍ２の坪量、または６０ｇ／ｍ２〜１４０ｇ／ｍ２の坪量を有し得る。第１の穿孔ポリマー層は、不織布、フィルム、またはフィルム／不織布ラミネートであってよい。第１の穿孔ポリマー層は、例えば、貫通孔を有する三次元的に形成された層であってよい。非穿孔繊維性ポリマー層は、５０ｇ／ｍ２〜１５０ｇ／ｍ２の高ロフト材料、または６０ｇ／ｍ２〜１４０ｇ／ｍ２の坪量であり得る。非穿孔繊維性ポリマー層のポリマーは、ポリエステルであってよい。流体フロー制御構造体は、非穿孔繊維ポリマー層、第１の穿孔ポリマー層および第２の穿孔ポリマー層からなる３層構造であってもよい。非穿孔繊維性ポリマー層は、第１の穿孔ポリマー層と第２の穿孔ポリマー層との間に挟まれ得る。第２の穿孔ポリマー層はまた、ウェブの第１の表面からウェブの第２の表面に向かって延在し、第２の表面上に突起を形成する開口を有する三次元的に形成された層であってもよい。
【００３３】
流体フロー制御構造体は、比較的高い曲げ剛性を有し得る。高い曲げ剛性は、吸収性物品に、物品の着用者の大腿間の横方向の圧縮に抵抗する改善された能力をもたらし、着用中の物品の望ましくない変形を防止する。流体フロー制御構造体内の積層材料の曲げ剛性または曲げ抵抗は、修正された ASTM D 4032-82 CIRCULAR BEND PROCEDURE（円形曲げ手順）によって測定されるように、０．５〜５Ｎ、好ましくは１〜４Ｎであってよい。
【００３４】
流体フロー制御構造体は、吸収性コアの後部まで延在せず、それにより、折り畳み時にサポートおよび自然な折り畳みガイドを提供することにより、第２の折り線の周りの折り畳みを楽にすることができる。そのような配置は、例えば、流体フロー制御構造体が比較的高い坪量を有し、２つ以上の層を含むラミネートである場合、およびそれが比較的高い曲げ剛性を有する場合にも特に有利となり得る。
【００３５】
流体フロー制御構造体は、後部横断折り線を越え、したがって下にあるコア層の長さを超えた、長手方向長さを有し得る。
【００３６】
吸収性物品は２つ以上の下にあるコア層を含んでもよく、下にあるコア層の１つは上記のように流体フロー制御構造体であってよく、下にあるコア層の１つは上記のように流体貯蔵構造体であってよい。流体フロー制御構造体は、上部コア層と流体貯蔵構造体との間に配置されてもよい。
【００３７】
流体制御構造体は、吸収性コアの中間部および前部の少なくとも一部の上に延在することができ、上部コア層よりも短くすることができる。吸収性物品の第２の折り畳み線は、流体制御構造体の後部横断縁が、吸収性物品を第２の折り畳み線上に折り畳む際のサポートおよび折り畳みガイドを構成するように、流体制御構造体の後部横断縁またはその近くにあってもよい。それに加えて或いは代替的に、流体貯蔵構造体は、吸収性物品の第２の折り線が流体貯蔵構造体の後部横断縁にまたはそれに隣接するように、上部コア層よりも短い下にあるコア層であってもよい。
【００３８】
弾性部材は、物品のそれぞれの長手方向側縁に沿って、コアの前部と中間部との間の移行部の少なくとも横方向外側に配置され得る。弾性部材は、トップシートとバックシートとの間に配置され得る。物品は、コアの前部と中間部との間の移行部と弾性部材との間、より具体的には、物品の周囲に位置する弾性体と上部コア層の周囲との間の領域に位置する、吸収性材料のない隙間を有し得る。それぞれの弾性部材は、少なくとも、吸収性コアの前部の最も広い部分の側縁までの長さを有し、物品の第１の端部の折り畳みを容易にすることができる。弾性部材は、折り畳みを容易にするために、下にあるより短いコア層の後部の後部横断縁を越えて長手方向に延在してはならない。弾性部材は、折り線の周りの折り畳みを容易にするために、物品の第２の折り線を越えて延在してはならない。
【００３９】
吸収性物品は、一対の下着パンツなどのサポートパンツ衣類の内側に吸収性物品を固定するための固定手段をさらに含み得る。固定手段は、開放可能な保護層によって覆われてもよい。
【００４０】
吸収性物品は、少なくとも２つの折り線を含む。折り線は、吸収性物品上に見えても見えなくてもよい。折り線は、物品の構造により折り畳みが軽減される物品の位置である。物品の第１の横方向の折り線は、コアの前部と中間部の間の狭い横断移行部と一致するか或いはそれに隣接している。この第１の折り線の周りの折り畳みは、コアの残りの部分よりも幅が狭い前部と中間部との間の狭い横方向の移行部によって促進される。第２の折り線は、下にあるコア層の少なくとも１つの後部横断縁に隣接し、したがって、下にあるコア層の少なくとも１つの長手方向の長さをちょうど超えている。本明細書で定義される隣接は、ある構造が別の構造の付近または近くにあるということである。第２の折り線は、吸収性コアの中間部と後部との間の移行部と一致する。下にあるコア層の少なくとも１つは、上部コア層よりも長手方向の長さが短く、それは、トップシートに最も近いコア層である。第２の折り線の周りの折り畳みは、上部コア層と下にあるコア層との相対的なサイズとそれらの相対的な位置によって促進され、他のコア構造と比較して剛性と折り畳みに対する抵抗が少なくなる。第１および第２の折り線の周りの折り畳みは、例えば、可能な弾性部材の位置によってさらに促進され得る。
【００４１】
物品の第１の端部は、コアの前部を含む。物品の中央領域は、コアの中間部を含む。物品の第２の端部は、コアの後部を含む。
【００４２】
本発明の一態様によれば、第１の折り畳みは、物品の第１の端部を第１の横断折り線の周りで物品の中央領域上に折り畳むことによって達成され、第１の折り線は、コアの前部と中間部との間の狭い横断移行部に一致または隣接する。第１の折り畳みの結果は、物品の第１の端部のトップシートが、物品の中央領域のトップシートに面することである。第２の折り畳みは、物品の第２の端部を第２の横断折り線の周りで第１の折り畳まれた端部上に折り畳むことによって達成され、第２の折り線は第１の吸収性コア層の後部横断縁に隣接する。第２の折り畳みの結果は、物品の第２の端部のトップシートが、物品の第１の折り畳まれた端部のバックシートに面することである。
【００４３】
本開示の別の態様によれば、第１の折り畳みは、物品の第２の端部を第２の横断折り線の周りで製品の中央領域に折り畳むことによって達成され、第２の折り線は第１の吸収性コア層の後部横断縁に隣接する。第２の折り畳みは、物品の第１の端部を第１の横断折り線の周りで第２の折り端部上に折り畳むことによって達成され、第１の折り線は、コアの前部と中間部との間の狭い横断移行部に一致または隣接する。第１の折り畳みの結果は、物品の第２の端部のトップシートが、物品の中央領域のトップシートに面することである。第２の折り畳みの結果は、物品の第１の端部のトップシートが、物品の第２の折り畳まれた端部のバックシートに面することである。
【００４４】
したがって、折り畳まれた吸収性物品は、吸収性物品の長さに沿って３つの重なり合う部分を有する３つ折りの吸収性物品である。
【図面の簡単な説明】
【００４５】
本発明は、添付した図面を参照してより詳細に説明される。
【００４６】
【図１】本発明の例示的な吸収性物品の平面図である。
【図２】図１の吸収性物品の線Ｂ−Ｂに沿った断面図である
【図３】本発明の例示的な吸収性物品の平面図である。
【図４】本発明の例示的な吸収性物品の平面図である。
【図５ａ】図１の吸収性物品を折り畳む一連のステップの立面図である。
【図５ｂ】図１の吸収性物品を折り畳む一連のステップの立面図である。
【図５ｃ】図１の吸収性物品を折り畳む一連のステップの立面図である。
【図５ｄ】図１の吸収性物品を折り畳む一連のステップの立面図である。
【図６ａ】図１の吸収性物品を折り畳む代替の連続するステップの立面図である。
【図６ｂ】図１の吸収性物品を折り畳む代替の連続するステップの立面図である。
【図６ｃ】図１の吸収性物品を折り畳む代替の連続するステップの立面図である。
【発明を実施するための形態】
【００４７】
本発明は、例示的な実施形態によって以下により詳細に説明される。しかしながら、本発明は、多くの異なる形態で具現化されてもよく、図面およびその説明に記載された実施形態に限定されると解釈されるべきではない。
【００４８】
図１は、物品１が着用されているときに着用者の身体に面するように意図されている側から見た失禁パッドの形態の吸収性物品１を概略的に示す。物品１は、等しい長さを有し、ほぼ同じ方向に延びる２つの長手方向側縁２２、２３を有する。前方端縁２４および後方端縁２５は、物品１の両端部で横方向に広がる。後方端縁２５は、物品１の使用中に後方に向けられるように意図され、前方端縁２４は、着用者の腹部に向かって前方を向くように意図されている。物品１は、流体透過性トップシート２と、流体不透過性バックシート３と、３つのコア層５、６ａ、６ｂと、を備えた吸収性コア４を含む。上部コア層５は、トップシート２と下にあるコア層との間に流体フロー制御構造体６ａの形態として配置されている。流体フロー制御構造体６ａは、流体フロー制御構造体６ａとバックシート３との間に位置する流体貯蔵構造体６ｂの形態として、上部コア層５と下にあるコア層との間に位置する。吸収性コア４は、その長手方向において、第１の横断折り線１１および第２の折り線１２によって、前部７、中間部８および後部９に分割され、この折り線１１、１２の周りで、吸収性物品１は、複数の折り畳み物品を含むパッケージに折り畳み物品を包装する前に折り畳まれることが意図されている。上部コア層５は、吸収性コア４の前部７、中間部８および後部９を覆って延在している。フロー制御構造体６ａは、吸収性コア４の前部７および中間部８を覆って部分的に延在している。フロー制御構造体６ａの後方端縁１３ａは、吸収性コア４の中間部８に位置する。流体貯蔵層６ｂは、中間部８の上に、そして部分的に前部４の上に延在している。流体貯蔵層６ｂは、第２の折り線１２に位置する。吸収性コア４は、コア４の前部７と中間部８との間の狭い横幅１０−１０′を有し、狭い横幅１０−１０′は、第１の折り線１１と一致する。上部コア層５および流体貯蔵層６ｂは、例えば、超吸収性粒子とパルプ繊維との混合物を含み得る。流体フロー制御構造体は、例えば、非穿孔繊維性ポリマー層および第１の穿孔ポリマー層を備えた層状構造であってよく、第１の穿孔ポリマー層中のポリマーは、ポリオレフィン、ポリエステル、ポリアミドおよびブレンド、並びに、それらの組み合わせから選択され得る。第１の穿孔ポリマー層は、５０ｇ／ｍ２〜１５０ｇ／ｍ２の坪量、または６０ｇ／ｍ２〜１４０ｇ／ｍ２の坪量を有し得る。第１の穿孔ポリマー層は、不織布、フィルム、またはフィルム／不織布ラミネートであってよい。第１の穿孔ポリマー層は、例えば、貫通孔を有する三次元的に形成された層であってよい。非穿孔繊維性ポリマー層は、５０ｇ／ｍ２〜１５０ｇ／ｍ２の高ロフト材料または６０ｇ／ｍ２〜１４０の坪量であってよい。非穿孔性繊維性ポリマー層としてのポリマーは、ポリエステルであってよい。流体フロー制御構造体は、非穿孔繊維ポリマー層、第１の穿孔ポリマー層および第２の穿孔ポリマー層からなる３層構造であってよい。非穿孔繊維性ポリマー層は、第１の穿孔ポリマー層と第２の穿孔ポリマー層との間に挟まれ得る。第２の穿孔ポリマー層はまた、ウェブの第１の表面からウェブの第２の表面に向かって延在し、第２の表面上に突起を形成する開口を有する三次元的に形成された層であってもよい。
【００４９】
上部コア層５は、コア層５を完全に貫通して延びる開口部２８を有する。上部コア層５は、異なる形状および構成の１つ以上の開口部２８を有し得る。しかしながら、１つの細長い開口部２８が好ましい。当然のことながら、上部コア層５は、大きな開口部のない均一な層であってもよい。上部コア層５の開口部２８は、上部コア層５の前部７および中間部８に配置され、開口部２８の長手方向の長さの約５〜１０％は、上部コア層５の前部７に位置する。開口部２８の最大横断長さは、上部コア層５の前部７において、上部コア層５の中間部８における開口部２８の最大横断長さよりも大きい。開口部２８は、物品１の使用時に、女性の着用者の尿道および膣開口部の真下に配置される。吸収性物品１に放出された体液は、開口部２８に直接収集され、それが吸収性コア４の中および全体にわたってさらに分配されるまで、一時的にその中に収容される。
【００５０】
トップシート２およびバックシート３は、一緒に、全周に沿って吸収性コア４の外側に横方向に延在し、物品１の外周において縁接合により互いに結合されている。縁結合は、接着剤、超音波結合、熱結合などの当技術分野で知られている任意の適切な方法で形成することができる。トップシート２およびバックシート３は、本願で開示されている目的のために、不織布またはフィルム材料などの適切な任意の材料で構成することができる。
【００５１】
例えば、発泡弾性体のような弾性部材のバンドなどの弾性部材１６、１６′は、トップシート２とバックシート３との間で、物品１の長手方向の側縁２２、２３に沿って配置される。物品は、コア４の前部７と中間部８との間の移行部と弾性部材１６、１６′との間に、横方向に配置された吸収材料のない隙間１７、１７′を有する。それぞれの弾性部材は、吸収性コア４の前部７の最も広い部分の側縁１８、１８′まで延在する。
【００５２】
図２は、図１の吸収性物品１の断面図である。
【００５３】
図３は、物品１が着用されているときに着用者の身体に面するように意図されている側から見た、失禁パッドの形態の吸収性物品１を示す。物品１は、等しい長さを有し、ほぼ同じ方向に延びる２つの長手方向側縁２２、２３を有する。前方端縁２４および後方端縁２５は、物品１の両端部で横方向に広がる。後方端縁２５は、物品１の使用中に後方に向けられるように意図され、前方端縁２４は、着用者の腹部に向かって前方を向くように意図されている。物品１は、流体透過性トップシート２と、流体不透過性バックシート３と、３つのコア層５、６ａ、６ｂと、を備えた吸収性コア４を含む。上部コア層５は、トップシート２と下にあるコア層との間に流体フロー制御構造体６ａの形態として配置されている。流体フロー制御構造体６ａは、流体フロー制御構造体６ａとバックシート３との間に位置する流体貯蔵構造体６ｂの形態として、上部コア層５と下にあるコア層との間に位置する。吸収性コア４は、その長手方向において、第１の横断折り線１１および第２の折り線１２によって、前部７、中間部８および後部９に分割され、この折り線１１、１２の周りで、吸収性物品１は、複数の折り畳み物品を含むパッケージに折り畳み物品を包装する前に折り畳まれることが意図されている。上部コア層５は、吸収性コア４の前部７、中間部８および後部９を覆って延在している。フロー制御構造体６ａは、吸収性コア４における前部７の一部と中間部８とを覆って部分的に延在している。フロー制御構造体６ａの後方端縁１３ａは、第２の折り線１２に配置されている。流体貯蔵層６ｂは、前部４の一部を覆い、中間部８を覆い、流体貯蔵層６ｂの後方端縁１３ｂは、前記吸収性コア４の後部９に配置される。吸収性コア４は、コア４の前部７と中間部８との間の狭い横幅１０−１０′を有し、狭い横幅１０−１０′は、第１の折り線１１と一致する。
【００５４】
上部コア層５は、コア層５を完全に貫通して延びる開口部２８を有する。上部コア層５は、異なる形状および構成の１つ以上の開口部２８を有し得る。しかしながら、１つの細長い開口部２８が好ましい。
【００５５】
弾性部材１６、１６′は、トップシート２とバックシート３との間で、物品１の長手方向の側縁２２、２３に沿って配置される。物品は、コア４の前部７と中間部８との間の移行部と弾性部材１６、１６′との間に、横方向に配置された吸収材料のない隙間１７、１７′を有する。それぞれの弾性部材は、吸収性コア４の前部７の最も広い部分の側縁１８、１８′まで延在する。
【００５６】
図４は、吸収性コア４の前部、中間部８および後部９の上に延在する上部コア層５を備えた吸収性コア４を含む、本開示による吸収性物品１を示す。吸収性コア４は、さらに、フロー制御構造体６ａおよび流体貯蔵層６ｂを含み、両方とも前部７の一部および中間部８の上に延在し、それぞれの後方端縁１３ａおよび１３ｂは第２の折り線１２に配置されている。吸収性コア４は、コア４の前部７と中間部８との間の狭い横幅１０−１０′を有し、狭い横幅１０−１０′は、第１の折り線１１と一致している。
【００５７】
図５ａ〜図５ｄは、図１による吸収性物品１の２つの折り畳みステップを示す。折り畳まれていない物品１を示す図５ａから始め、物品１は、第１の折り線１１および第２の折り線１２によって、第１の端部１９、第２の端部２０および中央領域２１に分割されている。図５ｂでは、物品１の第１の端部１９は、コア４の狭い横幅１０−１０′と一致するかまたはそれに隣接する第１の横断折り線１１の周りで折り畳まれ、物品１は、第１の端部１９が中央領域２１と接触する、すなわち、第１の端部１９のトップシート２が中央領域２１のトップシート２と接触するまで折り畳まれる。図５ｃでは、物品１の第２の端部２０が、既に折り畳まれた物品１の部分１９と接触する、すなわち、第２の端部２０のトップシート２が第１の端部１９のバックシート３に面するまで、流体貯蔵層６ｂの後部横断縁１３ｂに隣接する第２の横断折り線１２の周りで折り畳まれる。図５ｄは、最終的に折り畳まれた物品１を示す。
【００５８】
図６ａ〜図６ｃは、図６ａに示された吸収性物品の２つの折り畳みステップを伴う代替的な折り畳み方法を示す。物品１は、上部コア層５および２つの下にあるコア層６ａ、６ｂを含む。図６ａでは、物品１の第２の端部２０は、第１の折り畳みステップで、下にあるコア層６ｂの側縁１３ｂに隣接する第２の横断折り線１２の周りに、第２の端部２０が物品１の中央領域２１と接触するまで、すなわち、第２の端部２０のトップシート２が中央領域２１のトップシート２と接触するまで折り畳まれる。図６ｂは、第２の折り畳みステップを示し、物品１の第１の端部１９は、既に折り畳まれた物品１の部分１９と接触する、すなわち第１の端部１９のトップシート２が第２の端部２０のバックシート３に面するまで、第１の横断折り線１１の周りで折り畳まれる。図６ｃは、最終的に折り畳まれた物品１を示す。
【符号の説明】
【００５９】
１  物品
２  トップシート
３  バックシート
４  吸収性コア
５  上部コア層
６ａ  下にあるコア層、流体フロー制御構造体
６ｂ  下にあるコア層、流体貯蔵構造体
７  前部
８  中間部
９  後部
１０−１０′  狭い横幅
１１  第１の折り線
１２  第２の折り線
１３  後部横断縁
１６、１６′  弾性部材
１７、１７′  隙間
１８、１８′  最も広い部分の側縁
１９  第１の端部
２０  第２の端部
２１  中央領域
２２、２３  側縁
２４  前方端縁
２５  後方端縁
２８  開口部
【図１】
2021504062.tif 000003
【図２】
2021504062.tif 000004
【図３】
2021504062.tif 000005
【図４】
2021504062.tif 000006
【図５ａ】
2021504062.tif 000007
【図５ｂ】
2021504062.tif 000008
【図５ｃ】
2021504062.tif 000009
【図５ｄ】
2021504062.tif 000010
【図６ａ】
2021504062.tif 000011
【図６ｂ】
2021504062.tif 000012
【図６ｃ】
2021504062.tif 000013
【国際調査報告】
2021504062.tif 000014
2021504062.tif 000015
2021504062.tif 000016
2021504062.tif 000017
2021504062.tif 000018